(57)【要約】【課題】静電容量式タッチパネル操作用タッチペンとしては使えない物品を、その本来の機能や特性を損なうことなく、タッチペンに変える補助具を提供する。【解決手段】静電容量式タッチパネルの操作を補助するタッチパネル操作補助具（０１）であって、導電性を持った繊維（０２）を筒状に編み上げ、一方を引き絞って閉じ、他方を開口部（１０）として構成される。物品にタッチパネル操作補助具（０１）を装着し、タッチパネル操作補助具（０１）の一部に手指が触れた状態で物品を把持することで、タッチペン同様の操作性を実現する。【選択図】図１
2015191376.tif 000002
【特許請求の範囲】
【請求項１】
静電容量式タッチパネルの操作を補助するタッチパネル操作補助具であって、導電性を帯びた繊維を編み、一端を引き絞って閉じ、他端を開口部とした筒状であることを特徴とするタッチパネル操作補助具。
【発明の詳細な説明】
【技術分野】
【０００１】
本発明は、静電容量式タッチパネルに接触させて装置に情報入力を行うための補助具に関する。
【背景技術】
【０００２】
スマートフォンやタブレット端末に多く採用されている静電容量式タッチパネル（以下、タッチパネル）は、本来手指で画面に触れて操作を行うが、それ以外の手段としてペンシル型のタッチペン、並びにその他の補助具が存在する。
【０００３】
ペンシル型でタッチペン単一機能の物の他、例えば、筆記機能を兼備したタッチペン（特許文献１）、指先に被せて使用するタッチペン（特許文献２）、爪先に取り付ける補助具（特許文献３）、装着したままでタッチパネル操作が行える手袋（特許文献４）、などが開示されている。
【先行技術文献】
【特許文献】
【０００４】
【特許文献１】特開２０１４−２６６５０
【特許文献２】特開２００９−２５９０６２
【特許文献３】特開２０１３−１６４８２６
【特許文献４】特表２０１４−５００９１７
【発明の概要】
【発明が解決しようとする課題】
【０００５】
本来タッチパネルは手指で操作可能であるが、下記のような場合にタッチペン、並びにその他の補助具が必要になる。
【０００６】
タッチパネル操作においては、従来型の筆記具を使った筆記とは手指の使い方が異なるため、操作に伴い手指や手首に疲労や痛みを感じることがある。それらを軽減あるいは予防したい場合。
皮膚の乾燥、手指のひび割れなどにより使用者の意図するようにタッチパネルが反応せず、操作が難しい場合。
指が太く、画面上の微細な操作が難しい場合。
爪を長くしていて指先がタッチパネルに接しにくく、操作がしづらい場合。もとより爪は導体ではないため、爪先での操作は不可能である。
手指が濡れていたり、汚れていたりしていて、タッチパネルが汚れるのを避けたい場合。
防寒や防汚のため手袋を着用しており、そのためタッチパネル操作ができない場合。
【０００７】
ペンシル型のタッチペンは、最も幅広い状況に対応し得ようが、使用者の手指の大きさ、握り方の癖、力の入れ方、使い心地に対する好みは様々であり、画一的な形状ではあらゆるニーズに対応することが難しい。特許文献１記載の先行技術のように、筆記機能を兼備した場合、タッチペンとしての使い勝手と筆記具としての使い勝手双方で使用者を満足させることは容易ではない。
【０００８】
特許文献２および特許文献３記載の先行技術は、指先もしくは爪先に装着することが前提であり、手指で直接タッチパネルを操作したときに感じることがある疲労や痛みの軽減あるいは予防は望めない。
【０００９】
特許文献４記載の先行技術が有用なのは、手袋着用時に限られる。
【００１０】
上記のように手指以外でタッチパネルの操作を行いたい状況は様々であるが、それらに一律に対応出来るような発明は開示されていない。
【００１１】
そこで本発明は、本来タッチペンとしては機能しない物品にタッチペンの機能を与え、快適にタッチパネル操作を行えるようにする補助具の提供を目的とする。
【課題を解決するための手段】
【００１２】
上記課題を達成するため、本発明は、導電性を持った繊維を筒状に編み上げ、一方を引き絞って閉じ、他方を開口部としてなる。これを本来タッチペンとしての機能を有しない物品に被せる。本発明の一部に手指を触れさせながら物品を把持することで、タッチペン同様の操作性を実現することを特徴としている。
【発明の効果】
【００１３】
本発明によれば、使用者の身近にあって使い慣れており、手指に馴染む形状をしてはいるものの、タッチペンとしての機能を有しない物品を、タッチパネル操作を行う補助具に変えることが容易に可能で、なおかつその物品本来の機能や特性を損なわない。
【００１４】
編み物で伸縮性を備えているため、対象とする物品の大きさ、形状が制限を受けにくい。着脱が容易でありながら、編み目の隙間を利用することで、脱落防止を図れる。繊維製品だけで構成されるため、ペンシル型のタッチペンに比べて製造コストを抑えられる。様々な色や素材、形状での展開が容易である。繊維製品であることから画面上の滑りも良く、画面操作と同時にホコリなどを拭き取る事も出来る。たとえ汚れても容易に洗濯が可能で繰り返し使える。
【図面の簡単な説明】
【００１５】
【図１】本発明によるタッチパネル補助具の一実施形態を示す正面図。
【図２】（ａ）および（ｂ）は実施形態の使用例を示す斜視図。
【図３】（ａ）および（ｂ）は実施形態の使用例を示す斜視図。
【図４】（ａ）および（ｂ）は実施形態の別の使用例を示す斜視図。
【図５】実施形態の別の使用例を示す斜視図。
【図６】実施形態の更に別の使用例を示す斜視図。
【発明を実施するための形態】
【００１６】
図1に示すように、本発明の実施形態に係わるタッチパネル操作補助具（０１）は、導電性繊維、もしくは導電性繊維と非導電性繊維を撚り合わせた繊維（０２）を、筒状に編みあげ、一端を引き絞って閉じ、他端を開口部（１０）とした構造である。筒の直径や長さは特に限定されない。編み方はメリヤス編みが最も効果的であるが、特に限定されない。導電性繊維、非導電性繊維の材質、太さ、撚り合わせる場合の混紡比率については特に限定されない。
【実施例】
【００１７】
本発明を使用するときについて説明する。
図２（ａ）では、例として鉛筆（０３）に被せている。削ってある端とは反対側に被せることで、筆記具として鉛筆が本来備えている機能は担保される。
【００１８】
図２（ｂ）では、例としてキャップ付ペン（０４）のキャップ部（０５）に被せている。キャップ部（０５）にクリップ（０６）など突出部がある場合、タッチパネル操作補助具（０１）の編み目と編み目の間にある隙間に突出部をくぐらせることで、本発明の脱落を防ぐことが出来る。このように被せたとしても、本体軸（０７）とクリップ（０６）との間に空間は残るため、ペンをシャツのポケット等に挟むといったクリップ本来の機能は損なわれない。
【００１９】
使用者が普段使い慣れた、握りやすいと感じる物品を選択することにより、タッチパネル操作に伴う手指や手首の疲労や痛みの軽減、予防が期待出来る。
【００２０】
図３（ａ）に示すように、タッチパネル操作補助具（０１）の一部に手指（１１）が触れるようにしながら、鉛筆（０３）を把持し、タッチパネル操作補助具（０１）を被せた端の方でタッチパネル画面（図示せず）を操作する。鉛筆の本体軸は木製であることが多く、単体ではタッチパネル操作はできないが、本発明を用いることで、タッチパネル操作が可能となる。
【００２１】
タッチパネル操作補助具（０１）の色や編み方を工夫することで、単純な筆記具に美的な要素を加味することが出来る。また、持ち主の目印がわりにもなる。
【００２２】
図３（ｂ）に示すように、鉛筆（０３）を回転させるだけで、紙（図示せず）などへの筆記も出来る。タブレット端末やスマートフォンの利用と並行して、ノートなどへメモをとる場合でも、使用者の動作や思考の流れを妨げない。敢えてペンシル型タッチペンを携行する必要がなくなり、使用者の負担が減る。
【００２３】
使用者が書きやすいと感じている筆記具を選択することにより、タッチパネル操作から紙への筆記へ移行する場合でも、快適さが保たれる。
【００２４】
図４（ａ）に示すように、キャップ付ペン（０４）のキャップ部（０５）に被せたタッチパネル操作補助具（０１）の一部に手指が触れるようにしながら、本体軸（０７）を把持し、キャップ部（０５）でタッチパネル画面（図示せず）を操作する。導電性のない素材で形成されているペンであっても、本発明を用いることで、タッチパネル操作が可能となる。
【００２５】
また、図４（ｂ）に示すように、キャップ付ペン（０４）を回転させるだけで、紙（図示せず）などへの筆記も出来る。タブレット端末やスマートフォンの利用と並行して、ノートなどへメモをとる場合でも、使用者の動作や思考の流れを妨げない。敢えてペンシル型タッチペンを携行する必要がなくなり、使用者の負担が減る。筆記具として使用しない場合は、キャップを元通りにはめておけば、ペンシル型のタッチペンとして利用出来る。
【００２６】
被せる対象物は筆記具に留まらない。手指で把持可能な棒状の物体で、被せることが可能なサイズあれば、どんなものでもタッチパネル操作可能になる。
【００２７】
例えば炊事や、庭仕事をしていて手が汚れていても、スマートフォンやタブレットの操作が必要になることがある。図５では例として箸（０８）を用いた。タッチパネル操作補助具（０１）を、箸の食品に触れるのと反対の端に被せた。この場合もタッチパネル操作補助具（０１）の一部に手指（０９）が触れるようにしながら、箸（０８）を把持し、タッチパネル操作補助具（０１）が被った端でタッチパネル画面（図示せず）を操作する。一般的なタッチペンは長さに限りがあるが、箸などの比較的長いものを用いれば、離れた場所のタッチパネルでも操作出来る。
【００２８】
手指のひび割れや乾燥などの為、タッチパネル操作が思うようにできない場合や、爪を伸ばしていて手指を画面に触れる事が難しい場合は、図６に示すように、タッチパネル操作補助具（０１）を指サックとして手指（０９）に被せる。こうすることで、タッチパネルの操作性が向上する。またタッチパネル操作補助具（０１）の色や編み方を工夫することで、新たなファッションアイテムとして活用することも出来る。
【００２９】
以上本発明の実施例について詳細に説明してきたが、本発明による補助具は上記実施の形態に何ら限定されるものではなく、本発明の趣旨を逸脱しない範囲で種々の変更が可能であることは当然のことである。
【符号の説明】
【００３０】
０１  タッチパネル操作補助具
０２  繊維
０３  鉛筆
０４  キャップ付ペン
０５  キャップ部
０６  クリップ部
０７  本体軸
０８  箸
０９  使用者の手指
１０  開口部
【図１】
2015191376.tif 000003
【図２】
2015191376.tif 000004
【図３】
2015191376.tif 000005
【図４】
2015191376.tif 000006
【図５】
2015191376.tif 000007
【図６】
2015191376.tif 000008